(57)【要約】【課題】手書き情報入力表示装置と、タッチペンを有する手書き情報入力表示システムにおいて、所望の操作を確実に、且つ容易に実行可能な手書き情報入力表示システムを提供する。【解決手段】入力画像およびメニュー画像を表示する表示部と、表示部の画面の上に配され、指定された位置の座標データを取得する座標入力部と、座標入力部に手書き入力された座標データに基づいて画像を生成し、表示部に表示させる手書き入力処理モードおよび前記座標入力部にメニュー選択入力された座標データに基づいてメニュー処理を実行するメニュー処理モードを備えた制御部と、を有する手書き情報入力表示装置と、座標入力部に手書きパターン入力およびメニュー選択入力を行うタッチペンと、を有する手書き情報入力表示システムにおいて、制御部は、いずれかのモードを選択するモード選択スイッチの選択結果に応じたモードを実行する。【選択図】図１
2009157448.tif 000002
【特許請求の範囲】
【請求項１】
入力画像およびメニュー画像を表示する表示部と、
前記表示部の画面の上に配され、指定された位置の座標データを取得する座標入力部と、
前記座標入力部に手書き入力され取得された座標データに基づいて画像を生成し、前記表示部に表示させる手書き入力処理モードおよび前記座標入力部にメニュー選択入力され取得された座標データに基づいてメニュー処理を実行するメニュー処理モードを備えた制御部と、を有する手書き情報入力表示装置と、
前記座標入力部に手書きパターン入力およびメニュー選択入力を行うタッチペンと、
を有する手書き情報入力表示システムにおいて、
前記タッチペンは、前記手書き入力処理モードまたは前記メニュー処理モードのいずれかのモードを選択するモード選択スイッチを有し、
前記制御部は、前記モード選択スイッチの選択結果に基づいて、前記手書き入力処理モードまたは前記メニュー処理モードのいずれかのモードを実行することを特徴とする手書き情報入力表示システム。
【請求項２】
前記モード選択スイッチは、前記タッチペンの側面に配された押しボタンスイッチであり、
前記押しボタンスイッチは、押されていない間は一方の前記モードを選択・維持し、押されている間のみ他方の前記モードを選択することを特徴とする請求項１に記載の手書き情報入力表示システム。
【請求項３】
前記モード選択スイッチは、押すたびに２つの前記モードが周期的に切替わるトグルスイッチであることを特徴とする請求項１に記載の手書き情報入力表示システム。
【請求項４】
前記制御部は、前記座標入力部に手書き入力され取得された座標データに基づいて、前記メニュー画像の表示位置を移動させることを特徴とする請求項１乃至３の何れか１項に記載の手書き情報入力表示システム。
【請求項５】
前記メニュー画像は、所定の透明度で表示されることを特徴とする請求項１乃至４の何れか１項に記載の手書き情報入力表示システム。
【請求項６】
前記メニュー画像は、ソフトキーボードであることを特徴とする請求項５に記載の手書き情報入力表示システム。
【発明の詳細な説明】
【技術分野】
【０００１】
本発明は、手書き情報入力表示システムに関し、特に入力画像およびメニュー画像を表示する表示部を備えた手書き情報入力表示装置と、該手書き情報入力表示装置に手書き入力操作およびメニュー操作を行うタッチペンを有する手書き情報入力表示システムに関する。
【背景技術】
【０００２】
近年、タブレットＰＣやＰＤＡのように、ＧＵＩ画面上にタッチペン等の座標入力デバイスを用いて直接手書き入力が可能な表示端末装置が種々検討されている。この表示端末装置は、文字画面や白紙の画面の上に手書きにより文字やイラスト等の図形を入力、保存して利用するものである。
【０００３】
手書き入力を行う際には、線の太さや色の変更、また、頁送りやスクロールといった手書き入力アプリケーションの編集コマンドの選択を行う操作が必要である。このような操作は、メニュー画面を表示画面上に表示し、タッチペン等を用いてメニュー画面をタッピングすることにより実現している。
【０００４】
通常、メニュー画面、またはメニュー画面を呼び出すボタンは、表示画面の端に常時表示され、手書き入力領域と重ならないように配置されている。しかしながら、メニュー画面が表示されることにより、手書き入力領域が狭くなったり、また、メニュー操作を行う際に、いちいち表示画面の端にタッチペンを移動させるといった煩わしい操作を行う必要があった。
【０００５】
そこで、このような問題に対応する為に、すなわち、メニュー画面の後に隠れた画面表示が見えるように、また、メニュー操作が手元で容易に行えるように、メニュー画面を半透明にする。そして、行われている操作が手書き入力操作かメニュー操作かを所定の判定基準に基づき判定し、判定結果に基づいて、それぞれに対応した処理を実行する構成とすることにより、所望の操作が確実に実行されるようにする方法が提案されている（例えば、特許文献１、特許文献２参照）。
【特許文献１】特開２００６−３４３８５６号公報
【特許文献２】特開２００５−１４１７３１号公報
【発明の開示】
【発明が解決しようとする課題】
【０００６】
行われている操作が手書き入力操作かメニュー操作かの判定方法に関し、特許文献１に記載の手書き情報入力装置においては、手書き入力のストロークに基づいて手書き入力検出部が何れの操作かを判定する構成としている。また、特許文献２に記載の仮想グラフィティを提供する装置においては、タッチ位置及びタッチ方式、またはその何れかに基づいて制御部が何れの操作かを判定する構成としている。
【０００７】
しかしながら、何れの場合も使用者の意図する操作が反映され難いという問題がある。例えば、「・」を入力した場合、手書き入力操作による「・」なのか、メニューの選択操作による「・」なのかを判定するのは困難なものである。
【０００８】
本発明は、上記課題を鑑みてなされたもので、入力画像およびメニュー画像を表示する表示部を備えた手書き情報入力表示装置と、該手書き情報入力表示装置に手書き入力操作およびメニュー操作を行うタッチペンを有する手書き情報入力表示システムにおいて、所望の操作を確実に、且つ容易に実行可能な手書き情報入力表示システムを提供することを目的とする。
【課題を解決するための手段】
【０００９】
上記目的は、下記の１乃至６のいずれか１項に記載の発明によって達成される。
【００１０】
１．入力画像およびメニュー画像を表示する表示部と、
前記表示部の画面の上に配され、指定された位置の座標データを取得する座標入力部と、
前記座標入力部に手書き入力され取得された座標データに基づいて画像を生成し、前記表示部に表示させる手書き入力処理モードおよび前記座標入力部にメニュー選択入力され取得された座標データに基づいてメニュー処理を実行するメニュー処理モードを備えた制御部と、を有する手書き情報入力表示装置と、
前記座標入力部に手書きパターン入力およびメニュー選択入力を行うタッチペンと、
を有する手書き情報入力表示システムにおいて、
前記タッチペンは、前記手書き入力処理モードまたは前記メニュー処理モードのいずれかのモードを選択するモード選択スイッチを有し、
前記制御部は、前記モード選択スイッチの選択結果に基づいて、前記手書き入力処理モードまたは前記メニュー処理モードのいずれかのモードを実行することを特徴とする手書き情報入力表示システム。
【００１１】
２．前記モード選択スイッチは、前記タッチペンの側面に配された押しボタンスイッチであり、
前記押しボタンスイッチは、押されていない間は一方の前記モードを選択・維持し、押されている間のみ他方の前記モードを選択することを特徴とする前記１に記載の手書き情報入力表示システム。
【００１２】
３．前記モード選択スイッチは、押すたびに２つの前記モードが周期的に切替わるトグルスイッチであることを特徴とする前記１に記載の手書き情報入力表示システム。
【００１３】
４．前記制御部は、前記座標入力部に手書き入力され取得された座標データに基づいて、前記メニュー画像の表示位置を移動させることを特徴とする前記１乃至３の何れか１項に記載の手書き情報入力表示システム。
【００１４】
５．前記メニュー画像は、所定の透明度で表示されることを特徴とする前記１乃至４の何れか１項に記載の手書き情報入力表示システム。
【００１５】
６．前記メニュー画像は、ソフトキーボードであることを特徴とする前記５に記載の手書き情報入力表示システム。
【発明の効果】
【００１６】
本発明によれば、タッチペンは、手書き入力処理モードまたはメニュー処理モードのいずれかのモードを選択するモード選択スイッチを備え、制御部は、モード選択スイッチの選択結果に基づいて、手書き入力処理モードまたはメニュー処理モードのいずれかのモードを実行する構成とした。
【００１７】
すなわち、制御部は、行われている操作が手書き入力操作かメニュー操作かを、モード選択スイッチにより、確実に認知することができる。したがって、手書き入力領域とメニュー画像が表示される領域が重なった場合においても、入力された情報が手書き入力操作を意図して行われたものなのか、あるいはメニュー操作を意図して行われたものなのかを確実に認知することができるので、誤動作なく所望の処理が確実に実行される。
【００１８】
また、手書き入力領域とメニュー画像が表示される領域が重なった場合においても不都合が生じないことから、手書き入力領域を広めることができるともに、メニュー画像を表示する位置の制約がなくなるのでメニュー操作を容易に行うことができる。
【発明を実施するための最良の形態】
【００１９】
以下図面に基づいて、本発明に係る手書き情報入力表示システムの実施の形態を説明する。尚、本発明を図示の実施の形態に基づいて説明するが、本発明は該実施の形態に限られない。
【００２０】
最初に、本発明の実施形態に係る手書き情報入力表示システム１の構成を図１を用いて説明する。図１は、本発明の実施形態に係る手書き情報入力表示システム１の機能的概略構成を示すブロック図である。
【００２１】
手書き情報入力表示システム１は、図１に示すように、手書き情報入力表示装置１０、及びタッチペン２０等を備えている。
【００２２】
手書き情報入力表示装置１０は、ＣＰＵ１０１、ＲＯＭ１０２、ＲＡＭ１０３、表示ドライバ１０４、表示部１０５、タッチパネル１０６、タッチパネルコントローラ１０７、メモリーカード１０８、及び受信部１０９等を有する。
【００２３】
表示部１０５は、例えば、特開平１０−３２４１５５号公報に記載されている強誘電性液晶から構成される表示装置の様に、表示内容を無電源で保持する機能（メモリ性）を有した所謂電子ペーパと称される表示媒体である。電子ペーパは、情報を電気的に書換えることができ、情報の書換え時のみ電力を消費する一方、書換えが終了した後には電力を消費することなく情報を表示させておくことが可能であり、消費電力を抑制することができる。表示部１０５は、後述の手書き入力パターンに基づいた画像やメニュー画像、及びメモリーカード１０８から読み出された文書データに基づいた画像等を表示する。
【００２４】
表示ドライバ１０４は、表示部１０５に再生表示される画像を構成する画像信号のバッファメモリを備えた表示部１０５の駆動回路である。
【００２５】
タッチパネル１０６は、表示部１０５の前面に設けられ、本発明における座標入力部に該当するタッチパネルセンサであり、タッチペン２０を用いた手書き入力やメニュー選択入力によって指定された位置の座標データを取得する。タッチパネル１０６の構成としては、例えば、透明な抵抗体を表示部１０５の上に貼り付けた抵抗膜方式や、表示部１０５の直下に検知用のパッドを設けてタッチペンと交信する電磁誘導方式等を用いることができるが、本実施形態においては、抵抗膜方式での一例を示す。
【００２６】
ＣＰＵ（中央演算処理装置）１０１は、本発明における制御部に該当し、タッチパネル１０５やメモリーカード１０８からの信号を受けて、表示動作、画像信号処理、及びタッチペン２０から送信される後述のモード選択情報の受信動作等を統括的に制御する。
【００２７】
また、ＣＰＵ１０１は、タッチパネル１０６に手書き入力され取得された座標データに基づいて画像を生成し、表示部１０５に表示させる手書き入力処理モード、及びタッチパネル１０６にメニュー選択入力され取得された座標データに基づいてメニュー処理を実行するメニュー処理モードの２つの動作モードを有している。そして、ＣＰＵ１０１は、タッチペン２０から送信される後述のモード選択情報に基づいて、手書き入力処理モードまたはメニュー処理モードのいずれかのモードを実行する。
【００２８】
ＲＯＭ（Ｒｅａｄ  Ｏｎｌｙ  Ｍｅｍｏｒｙ）１０２は、手書き入力処理モードやメニュー処理モード等をＣＰＵ１０１に実行させる各種制御プログラムを記憶する。
【００２９】
ＲＡＭ（Ｒａｎｄｏｍ  Ａｃｃｅｓｓ  Ｍｅｍｏｒｙ）１０３は、演算処理や制御処理等の作業データを一時的に格納する。
【００３０】
受信部１０９は、タッチペン２０から送信される後述のモード選択情報を受信する。尚、無線通信手段としては、ＢｌｕｅｔｏｏｔｈやワイヤレスＵＳＢ、また、低消費電力型のデバイスが好適である。
【００３１】
メモリーカード１０８は、文書データ等を保存する。
【００３２】
次に、タッチペン２０は、タッチパネル１０６に手書きパターン入力やメニュー選択入力を行う際に用いられる。ＣＰＵ１０１は、タッチペン２０のペン先端部での押圧によりタッチパネル１０６に設けられた図示しない抵抗膜内の対向する２枚の透明電極が撓んで接触することにより位置を検出する。タッチペン２０の側面には、図１に示すように、押しボタン構成のモード選択スイッチ２０１が設けられている。モード選択スイッチ２０１は、手書き入力処理モードまたはメニュー処理モードいずれかを選択するスイッチであり、いずれのモードが選択されたかを示すモード選択情報が、タッチペン２０に設けられた図示しない送信部を介して手書き情報入力表示装置に送信される。
【００３３】
ここで、このような構成の手書き情報入力表示システム１における表示態様の一例を図２を用いて説明する。
【００３４】
図２（ａ）に示すように、表示部１０５の表示画面１１５の全面が手書き入力可能な領域（手書き画面）１１５Ｔとなっている。また、手書き入力する際の、線の太さや色の変更、消去する為の消しゴムツール、頁送りやスクロールといった手書き入力アプリケーションの編集コマンドの選択を行う為のメニュー画面１１５Ｍが表示画面の一隅に表示されている。尚、手書き入力画像１１５Ｃとメニュー画面１１５Ｍと隔たりが大きく操作し難い場合は、図２（ｂ）に示すように、メニュー画面１１５Ｍの位置を手書き入力画像１１５Ｃの近くに移動させることができる。メニュー画面１１５Ｍの位置の移動方法については、後述する。
【００３５】
タッチペン２０は、モード選択スイッチ２０１により、通常、手書き入力処理モードが選択されており、メニュー画面１１５Ｍの上にも文字や図形を入力することができる。一方、メニュー操作を行う場合は、モード選択スイッチ２０１を押しながらメニュー画面をタッピングすることによりメニュー処理モードが選択され実行される。尚、モード選択スイッチ２０１は、押すたびに手書き入力処理モードとメニュー処理モードの２つのモードが周期的に切替わるトグルスイッチ構成としてもよい。
【００３６】
また、モード選択スイッチ２０１を押しながらメニュー画面１１５Ｍを所望の位置へドラッグすることによりメニュー画面１１５Ｍを移動させることができる。尚、手書き入力処理モード時、タッチペン２０をタッチパネル１０６から離した位置（ペンアップ位置）の近くにメニュー画面１１５Ｍを移動させるようにしてもよい。
【００３７】
図３に表示態様の別例を示す。図３（ａ）に示すように、メニュー画面１１５Ｍを半透明で表示するようにしてもよい。これにより、メニュー画面１１５の上に手書き入力した場合でも、手書き画像１１５Ｃを視認し易くなる。
【００３８】
また、図３（ｂ）に示すように、メニュー画面を半透明なソフトキーボード１１５Ｋとしてもよい。モード選択スイッチ２０１を押しながらソフトキーボード１１５Ｋを所望の位置へドラッグすることによりソフトキーボード１１５Ｋを移動させることができる。
【００３９】
この様に、本発明の実施形態に係る手書き情報入力表示システム１においては、タッチペン２０は、手書き入力処理モードまたはメニュー処理モードのいずれかのモードを選択するモード選択スイッチ２０１を備え、ＣＰＵ１０１は、モード選択スイッチ２０１の選択結果に基づいて、手書き入力処理モードまたはメニュー処理モードのいずれかのモードを実行する構成とした。
【００４０】
すなわち、ＣＰＵ１０１は、行われている操作が手書き入力操作かメニュー操作かを、モード選択スイッチ２０からのモード選択情報により、確実に認知することができる。したがって、手書き入力領域１１５Ｔとメニュー画面１１５Ｍが表示される領域が重なった場合においても、入力された情報が手書き入力操作を意図して行われたものなのか、あるいはメニュー操作を意図して行われたものなのかを確実に認知することができるので、誤動作なく所望の処理が確実に実行される。
【００４１】
また、手書き入力領域１１５Ｔとメニュー画面１１５Ｍが表示される領域が重なった場合においても不都合が生じないことから、手書き入力領域１１５Ｔを広めることができるともに、メニュー画面１１５Ｍを表示する位置の制約がなくなるのでメニュー操作を容易に行うことができる。
【図面の簡単な説明】
【００４２】
【図１】本発明の実施形態に係る手書き情報入力表示システムの機能的概略構成を示すブロック図である。
【図２】手書き情報入力表示装置におけるメニュー表示態様の一例を示す模式図である。
【図３】手書き情報入力表示装置におけるメニュー表示態様の他の例を示す模式図である。
【符号の説明】
【００４３】
１  手書き情報入力表示システム
１０  手書き情報入力表示装置
１０１  ＣＰＵ
１０２  ＲＯＭ
１０３  ＲＡＭ
１０４  表示ドライバ
１０５  表示部
１０６  タッチパネル
１０７  タッチパネルコントローラ
１０８  メモリーカード
１０９  受信部
１１５  表示画面
１１５Ｃ  手書き画像
１１５Ｋ  ソフトキーボード
１１５Ｍ  メニュー画面
１１５Ｔ  手書き画面
２０  タッチペン
２０１  モード選択スイッチ
【図１】
2009157448.tif 000003
【図２】
2009157448.tif 000004
【図３】
2009157448.tif 000005